(57)【要約】【課題】電解用水路内で生成された電解水を確実にフィルタ部材へ運搬することができる空気清浄装置を提供すること。【解決手段】本発明の空気清浄装置は、給水用タンク２０内の水を、フィルタ部材６０に導く供給水路４２と、水を電気分解する電極用水路４２ｄを備え、供給水路４２は、第１の上流側供給水路４２ｅ、第１の下流側供給水路４２ｆ、電極用水路４２ｄ、第２の供給水路４２ｂで構成され、この第１の下流側供給水路４２ｆの底面は、第１の上流側供給水路４２ｅの底面より低く、電極用水路４２ｄの底面は、第１の下流側供給水路４２ｆの底面より低く、第２の供給水路４２ｂの底面は、第１の下流側供給水路４２ｆおよび電極用水路４２ｄの底面より高いことを特徴とする。【選択図】図１３
2014190553.tif 000002
【特許請求の範囲】
【請求項１】
着脱可能な給水用タンクと、前記給水用タンク内の水が供給されるフィルタ部材と、前記給水用タンク内の前記水を前記フィルタ部材に導く供給水路を形成するトレイと、前記供給水路の前記水を電気分解する電極ユニットと、前記トレイに残留するスケールを含む汚水を汲み上げるポンプと、前記ポンプで汲み上げた前記汚水を貯留する排水用タンクとを筐体内に備えた空気清浄装置であって、前記供給水路が、前記給水用タンクの下方に位置する第１の供給水路と、前記フィルタ部材の下方に位置する第２の供給水路と、前記第２の供給水路の出口側につながる貯留部と、前記第１の供給水路の出口側につながり前記第２の供給水路の入口側につながる電極用水路とから構成され、前記第１の供給水路は、前記給水用タンク内の水が最初に供給される第１の上流側供給水路と、この第１の上流側供給水路と前記電極用水路をつなげる第１の下流側供給水路とからなり、この第１の下流側供給水路の底面は、前記第１の上流側供給水路の底面より低く、前記電極用水路の底面は、前記第１の下流側供給水路の底面より低く、前記第２の供給水路の底面は、前記第１の下流側供給水路および前記電極用水路の底面より高いことを特徴とする空気清浄装置。
【請求項２】
前記電極ユニットの下端は、前記第１の下流側供給水路の底面と前記電極用水路の底面との間に位置することを特徴とする請求項１に記載の空気清浄装置。
【請求項３】
前記第２の供給水路の底面は、前記第２の供給水路から前記電極用水路へ向かうにしたがって下方へ傾斜した傾斜面を有し、この傾斜面は第２の供給水路底面より高い壁を持ちクランク形状に曲がっていることを特徴とする請求項１または２に記載の空気清浄装置。
【請求項４】
前記電極への通電方法は、間欠運転であることを特徴とする請求項１から３のいずれかに記載の空気清浄装置。
【発明の詳細な説明】
【技術分野】
【０００１】
本発明は、細菌やウィルスなどの浮遊微生物を除去する空気清浄装置に関する。
【背景技術】
【０００２】
水を電気分解して電解水を生成し、この電解水をフィルタ部材へ供給し、室内空気をこのフィルタ部材を通過させることで、空気中に浮遊する菌・ウィルス等の除去を行う空気除菌装置が既に提案されている。この種の空気清浄装置の構造は以下のようになっていた。
【０００３】
すなわち、電極と、電極により水を電気分解する電解槽と、電解槽内に一部が存在することで、電解水が供給されるフィルタ部材と、フィルタ部材に室内空気を送る送風ファンを筐体内に備えている（例えば下記特許文献１）。
【先行技術文献】
【特許文献】
【０００４】
【特許文献１】特開２０１２−５２７００号公報
【発明の概要】
【発明が解決しようとする課題】
【０００５】
特許文献１の構成によれば、電極により生成した電解水が次第に電解槽内へ拡散し、フィルタ部材に到達した電解水により微生物除去性能を発揮するものであるが、電極間に流れはわずかであり、電解水を効率的にフィルタ部材へ運搬することができていなかった。
【０００６】
そこで本発明は、電極により生成した電解水を、確実にフィルタ部材へ運搬することができる空気清浄装置を提供することを目的とする。
【課題を解決するための手段】
【０００７】
そして、この目的を達成するために、本発明は、給水用タンク内の水が供給されるフィルタ部材と、前記給水用タンク内の水をフィルタ部材に導く供給水路を形成するトレイと、前記供給水路の水を電気分解する電極を筐体内に備えた空気清浄装置であって、前記供給水路が、前記給水用タンクの下方に位置する第１の供給水路と、前記フィルタ部材の下方に位置する第２の供給水路と、前記第１の供給水路の出口側につながり前記第２の供給水路の入口側につながる電極用水路とから構成され、前記第１の供給水路は、前記給水用タンク内の水が最初に供給される第１の上流側供給水路と、この第１の上流側供給水路と前記電極用水路をつなげる第１の下流側供給水路とからなり、この第１の下流側供給水路の底面は、前記第１の上流側供給水路の底面より低く、前記電極用水路の底面は、前記第１の下流側供給水路の底面より低く、前記第２の供給水路の底面は、前記第１の下流側供給水路および前記電極用水路の底面より高い構成としたものであり、これにより初期の目的を達成するものである。
【発明の効果】
【０００８】
本発明によれば、給水用タンク内の水が供給されるフィルタ部材と、前記給水用タンク内の水をフィルタ部材に導く供給水路を形成するトレイと、前記供給水路の水を電気分解する電極を筐体内に備えた空気清浄装置であって、前記供給水路が、前記給水用タンクの下方に位置する第１の供給水路と、前記フィルタ部材の下方に位置する第２の供給水路と、前記第１の供給水路の出口側につながり前記第２の供給水路の入口側につながる電極用水路とから構成され、前記第１の供給水路は、前記給水用タンク内の水が最初に供給される第１の上流側供給水路と、この第１の上流側供給水路と前記電極用水路をつなげる第１の下流側供給水路とからなり、この第１の下流側供給水路の底面は、前記第１の上流側供給水路の底面より低く、前記電極用水路の底面は、前記第１の下流側供給水路の底面より低く、前記第２の供給水路の底面は、前記第１の下流側供給水路および前記電極用水路の底面より高い構成にしたことにより、前期電解用水路で前記電極により生成した電解水は、前記給水用タンクの水が前記第１の供給水路から前記電解用水路、前記第２の供給水路を通り前記フィルタ部材へ供給する水の流れに乗りフィルタ部材へ供給され、特に前記電解用水路内は、前記電極により前記電解用水路内の電解水は温められることで、熱対流が生まれている、そのため、前記給水用タンクから出た水は、前記第１の上流側供給水路を通り、前記第１の下流側供給水路に一度貯まることで流れが安定化され、前記電極の電気分解による温度差から、前記電極下部に流れこみ、前記給水用タンクの水が電気分解された電解水は電気分解と共に温められ、熱対流により電解用水路上部へ運ばれ、前記第２の供給水路の入口側へ運ばれることとなるので、電極用水路で電極により生成した電解水を、確実にフィルタ部材へ運搬することができる空気清浄装置を提供するという効果を得られることができる。
【図面の簡単な説明】
【０００９】
【図１】本発明の一実施例の空気清浄装置の外観斜視図
【図２】同空気清浄装置の開閉扉を開いた状態を示す外観斜視図
【図３】図２の状態から給水用タンクと排水用タンクとを取り外した状態を示し、電極ユニットが第１の動作状態であることを示す外観斜視図
【図４】図２の状態から給水用タンクと排水用タンクとを取り外した状態を示し、電極ユニットが第２の動作状態であることを示す外観斜視図
【図５】図４の状態からトレイを取り外した状態を示し、電極ユニットが第２の動作状態であることを示す外観斜視図
【図６】図５の状態から電極ユニットを第１の動作状態に戻した状態を示す外観斜視図
【図７】本実施例に用いる、給水用タンク、フィルタ部材、及び排水用タンクをトレイに載置した状態を示す斜視図
【図８】図７の上面図
【図９】給水用タンクの斜視図
【図１０】仕切り板の正面図
【図１１】本実施例による空気清浄装置の側断面図
【図１２】同空気清浄装置の側断面斜視図
【図１３】本実施例に用いるトレイの上面側斜視図
【図１４】同トレイの上面図
【図１５】同トレイの裏面側斜視図
【図１６】同トレイの正面図
【図１７】本実施例による空気清浄装置の電極ユニットを示す要部斜視図
【図１８】本実施例による空気清浄装置の制御ブロック図
【図１９】同空気清浄装置のフローチャート
【図２０】同空気清浄装置の電極ユニットへの通電電流変化を示すグラフ
【発明を実施するための形態】
【００１０】
本発明の請求項１記載の空気清浄装置は、着脱可能な給水用タンクと、給水用タンク内の水が供給されるフィルタ部材と、給水用タンク内の水をフィルタ部材に導く供給水路を形成するトレイと、供給水路の水を電気分解する電極ユニットと、トレイに残留するスケールを含む汚水を汲み上げるポンプと、ポンプで汲み上げた汚水を貯留する排水用タンクとを筐体内に備えた空気清浄装置であって、供給水路が、給水用タンクの下方に位置する第１の供給水路と、フィルタ部材の下方に位置する第２の供給水路と、第２の供給水路の出口側につながる貯留部と、第１の供給水路の出口側につながり第２の供給水路の入口側につながる電極用水路とから構成され、第１の供給水路は、給水用タンク内の水が最初に供給される第１の上流側供給水路と、この第１の上流側供給水路と電極用水路をつなげる第１の下流側供給水路とからなり、この第１の下流側供給水路の底面は、第１の上流側供給水路の底面より低く、電極用水路の底面は、第１の下流側供給水路の底面より低く、第２の供給水路の底面は、第１の下流側供給水路および電極用水路の底面より高いという構成を有する。
【００１１】
これにより、電解用水路で電極ユニットにより生成した電解水は、給水用タンクの水が第１の供給水路から電解用水路、第２の供給水路を通りフィルタ部材へ供給する水の流れに乗りフィルタ部材へ供給され、特に電解用水路内は、電気分解により電解用水路内の電解水は温められることで、熱対流が生まれている、そのため、給水用タンクから出た水は、第１の上流側供給水路を通り、第１の下流側供給水路に一度貯まることで流れが安定化され、電極ユニットによる電気分解による温度差から、電極下部に流れこみ、給水用タンクの水が電気分解された電解水は電気分解と共に温められ、熱対流により電解用水路上部へ運ばれ、第２の供給水路の入口側へ運ばれることとなるので、電極用水路で電極により生成した電解水を、確実にフィルタ部材へ運搬することができるという効果を奏する。
【００１２】
また、電極ユニットの下端は、第１の下流側供給水路の底面と電極用水路の底面との間に位置するという構成にしてもよい。
【００１３】
これにより、第１の下流側供給水路に溜まった給水用タンクから出た水は、第１の下流側供給水路の底面を沿って電極用水路に流れるとき、電極ユニットの下部ではなく、電極間を通過することとなるので、電極板近傍で発生する電解水を、電極用水路出口に向かって流すことができることで、電解水を確実に第２の供給水路上方に位置するフィルタ部材へ運搬することができるという効果を奏する。
【００１４】
また、第２の供給水路の底面は、第２の供給水路から電極用水路へ向かうにしたがって下方へ傾斜した傾斜面を有し、この傾斜面は第２の供給水路底面より高い壁を持ち、クランク形状に曲がっているという構成にしてもよい。
【００１５】
傾斜面を有することで、供給用タンクから出た冷たい水は、第２の供給水路へ流れこみにくくなり、電気分解により温められ、電解用水路上方に存在する電解水が傾斜面を通り、第２の供給路上方に位置するフィルタ部材へ運搬されやすくなるという効果を奏するだけでなく、第２の供給水路まで運搬された電解水は第２の供給水路底面より高い壁に阻まれ、傾斜面に沿わず、壁を乗り越えて電極用水路へ逆流することを抑制でき、さらに、クランク形状であることで、傾斜面の下流側から逆流しようとする電解水も、曲がり角にて傾斜面の側面にぶつかることで、電解用水路に逆流することが抑制できるという効果を奏する。
【００１６】
また、電極ユニットへの通電方法は、間欠運転としてもよい。
【００１７】
これにより、通電時に生成され、第１の下流側供給水路上方に一部漏れ出した電解水も、通電停止時を設けることで冷やされ、給水用タンクから新たに給水された水と共にフィルタ部材へ運搬されるため、電解水が電解用水路に留まり続けることを防止するという効果を奏する。
【００１８】
以下に、本発明の一実施例による空気清浄装置について説明する。
【００１９】
図１は本実施例の空気清浄装置の外観斜視図、図２は同空気清浄装置の開閉扉を開いた状態を示す外観斜視図、図３は図２の状態から給水用タンクと排水用タンクとを取り外した状態を示し、電極ユニットが第１の動作状態であることを示す外観斜視図、図４は図２の状態から給水用タンクと排水用タンクとを取り外した状態を示し、電極ユニットが第２の動作状態であることを示す外観斜視図、図５は図４の状態からトレイを取り外した状態を示し、電極ユニットが第２の動作状態であることを示す外観斜視図、図６は図５の状態から電極ユニットを第１の動作状態に戻した状態を示す外観斜視図である。
【００２０】
図１に示すように、本実施例による空気清浄装置は、筐体１０の前面には開閉扉１１を、両側面には吸入口１２を、天面には吹出口１３を有する。筐体１０には、開閉扉１１の開閉状態を検知する開閉検知手段９１を備えている。
【００２１】
図２に示すように、開閉扉１１を開くと、筐体１０内には給水用タンク２０と排水用タンク３０とがトレイ４０に着脱可能に載置されている。給水用タンク２０と排水用タンク３０とは、開閉扉１１に対向する位置に並設されている。
【００２２】
給水用タンク２０と排水用タンク３０とは、トレイ４０を引き出すことなく開閉扉１１を開いた状態でトレイ４０から取り外すことができる。
【００２３】
図３は、給水用タンク２０と排水用タンク３０とをトレイ４０から取り外した状態を示している。
【００２４】
図３に示す状態では、電極ユニット５０は第１の動作状態にある。第１の動作状態では、電極ユニット５０は、筐体１０の底面１４に近接した位置で保持され、トレイ４０内の水中に配置されている。電極ユニット５０が第１の動作状態にある場合にはトレイ４０を筐体１０から引き出すことはできない。
【００２５】
図４に示す状態では、電極ユニット５０は第２の動作状態にある。第２の動作状態では、電極ユニット５０は、筐体の底面１４から離間した位置で保持され、トレイ４０から更に上方に引き上げられている。電極ユニット５０の引き上げは、図３及び図４に示すレバー５１によって使用者が操作する。
【００２６】
図４に示すように、電極ユニット５０を第２の動作状態としたときには、電極ユニット５０は、仕切り板４１に当接しないため、図５に示すようにトレイ４０を筐体１０内から取り出すことができる。
【００２７】
図６では、トレイ４０を取り出した状態で、レバー５１の操作により、電極ユニット５０を再び第１の動作状態に移動させている。
【００２８】
給水用タンク２０への給水と排水用タンク３０からの排水作業、更にはトレイ４０の清掃作業は、図１から図５に示す順番で、給水用タンク２０、排水用タンク３０、トレイ４０を取り外し、給水、排水、清掃後に、図５から図１に示す順番で装着を行うことで完了する。
【００２９】
本実施例によれば、トレイ４０の装着後には第１の動作状態とすることでトレイ４０内に電極を位置させて電解水を生成させ、トレイ４０の着脱動作時には第２の動作状態とすることで、トレイ４０の着脱動作をスムーズに行うことができる。
【００３０】
図２から図６に示すように、開閉扉１１の内面にはボトル１５が着脱可能に取り付けられている。ボトル１５には、タブレット状の食塩が入っており、給水用タンク２０及び排水用タンク３０の装着時に、トレイ４０中に必要量の食塩を投入することで水の塩化物イオン濃度を高める。
【００３１】
図５及び図６に示すように、筐体１０の底面１４には、底上げ部１９が形成され、底上げ部１９の上面には凹状ガイダー１６を形成している。また、筐体１０の底面１４には、ポンプ駆動部１７を設けている。
【００３２】
図７は、本実施例に用いる、給水用タンク、フィルタ部材、及び排水用タンクをトレイに載置した状態を示す斜視図、図８は図７の上面図、図９は給水用タンクの斜視図、図１０は仕切り板の正面図である。
【００３３】
図７及び図８に示すように、トレイ４０には、給水用タンク２０、フィルタ部材６０、及び排水用タンク３０が載置されている。またトレイ４０には仕切り板４１が設けられている。フィルタ部材６０及び仕切り板４１はトレイ４０に対し着脱可能に設けられている。
【００３４】
トレイ４０の上面は、仕切り板４１によって第１の領域と第２の領域に仕切られている。第１の領域には、給水用タンク２０と排水用タンク３０が配置され、第２の領域には、フィルタ部材６０が配置されている。電極ユニット５０は第１の領域に配置している。
【００３５】
図１１は本実施例による空気清浄装置の側断面図、図１２は同空気清浄装置の側断面斜視図である。
【００３６】
図１１及び図１２に示すように、本実施例によれば、電極ユニット５０を風路８０と仕切られた第１の領域に配置することで、電気分解時に発生する酸化ガスが風路８０に流れ込み、送風機８２などに用いられている材料を劣化させることを防止することができる。
【００３７】
図７及び図８に示すように、排水用タンク３０には、上部に取っ手３１が形成され、上面は開閉蓋３２となっている。この開閉蓋３２には接続口３３が設けられている。
【００３８】
トレイ４０には、給水用タンク２０内の水の有無を検知する給水検知手段９２が設けられている。また、排水用タンク３０内には、排水用タンク３０内の汚水の有無を検知する排水検知手段９３が設けられている。
【００３９】
図８に示すように、フィルタ部材６０は、吸水性繊維素材を円筒状部材外周面に設け、駆動機構６１によって回転する。フィルタ部材６０は、通過する空気を電解水に接触させて空気を除菌する気液接触機能を果たす。
【００４０】
図９に示すように、給水用タンク２０は、上部及び一方の側部に取っ手２１が形成され、下部に蓋２２を有する。この蓋２２を取り外して水道水を注入する。蓋２２には押圧によって開となるピンを備え、トレイ４０上に載置されると、ピンが押されて内部の水が滴下される。
【００４１】
図１０に示すように、仕切り板４１には、トレイ４０に残留するスケールを含む汚水を汲み上げるポンプ７０と、このポンプ７０で汲み上げた汚水を排水用タンク３０に導くホース７１を設けている。
【００４２】
ポンプ７０は、図５及び図６で示すポンプ駆動部１７によって動作する。ポンプ駆動部１７は磁気結合によってポンプ７０を駆動する。
【００４３】
ポンプ７０で汲み上げた汚水は、ホース７１から、図７に示す接続口３３を通り排水用タンク３０内に導かれる。
【００４４】
排水用タンク３０内には、例えばフロートスイッチからなる排水検知手段９３が設けられ、所定の汚水量になるとポンプ駆動部１７の動作を停止する。
【００４５】
図１３は本実施例に用いるトレイの上面側斜視図、図１４は同トレイの上面図、図１５は同トレイの裏面側斜視図、図１６は同トレイの正面図である。
【００４６】
供給水路４２は、給水用タンク２０の下方に位置する第１の供給水路４２ａと、フィルタ部材６０の下方に位置する第２の供給水路４２ｂと、第２の供給水路４２ｂの出口側につながる貯留部４２ｃと、第１の供給水路４２ａの出口側につながり第２の供給水路４２ｂの入口側につながる電極用水路４２ｄとから構成されている。電極ユニット５０は電極用水路４２ｄに配置される。ポンプ７０は、貯留部４２ｃから汚水を汲み上げる。
【００４７】
給水は、第１の供給水路４２ａ、電極用水路４２ｄ、及び第２の供給水路４２ｂを順次通過した後に貯留部４２ｃに導かれるため、汚水は新鮮な水に押されながら貯留部４２ｃに移動し、トレイ４０の供給水路４２に残留している汚水を確実に排水用タンク３０に回収することができる。
【００４８】
貯留部４２ｃの底面は、供給水路４２の中で最も低く形成している。貯留部４２ｃの底面を低くすることで、スケールなどの比重の大きな成分を貯留部４２ｃに溜めやすくし、トレイ４０の供給水路４２への残留を少なくして排水用タンク３０での確実な回収を行うことができる。
【００４９】
トレイ４０の裏面には凸状レール部材４３を形成している。この凸状レール部材４３は、図５及び図６で示す筐体１０の底面１４の凹状ガイダー１６に摺動可能に保持され、電極ユニット５０が第２の動作状態では、凸状レール部材４３を凹状ガイダー１６に対して摺動させることでトレイ４０の脱着を行える。
【００５０】
本実施例によれば、凸状レール部材４３と凹状ガイダー１６とでトレイ４０をスライドさせて着脱できるとともに、供給水路４２内に電極ユニット５０を位置させた状態ではトレイ４０の着脱を防止することができる。
【００５１】
また、本実施例によれば、底上げ部１９の高さだけ凸状レール部材４３の突出量を少なくすることができ、凸状レール部材４３の破損を防止することができる。
【００５２】
図１７は本実施例による空気清浄装置の電極ユニットを示す要部斜視図である。
【００５３】
電極ユニット５０は、筐体１０の底面１４に対して近接離間可能に設けてあり、近接離間動作はレバー５１によって行うことができる。図１７では、電極ユニット５０が、筐体１０の底面１４に近接した位置で保持される第１の動作状態を示している。
【００５４】
電極ユニット５０は、内部に電極を有し、これら電極間に電圧を印加することにより、水を電気分解して電解水を生成する。塩化物イオンを含む水が電気分解されることで、次亜塩素酸を含む電解水が生成される。次亜塩素酸は活性酸素種に含まれ、強力な酸化作用や漂白作用を有する。次亜塩素酸が溶解した水溶液、すなわち生成される電解水は、ウィルス等の不活化、殺菌、有機化合物の分解等、種々の空気清浄効果を発揮する。
【００５５】
筐体１０の底面１４には、電極ユニット５０から滴下する水を受ける電極用トレイ４４を設けている。電極用トレイ４４は底面１４の凹部に配置され、トレイ４０の装着時には、電極用トレイ４４はトレイ４０で覆われる。電極ユニット５０の下方に電極用トレイ４４を設けることで、トレイ４０を取り外した状態で、電極ユニット５０から滴下する水で筐体１０の底面１４を濡らすことがなく、トレイ４０を装着した状態ではトレイ４０によって覆われ、トレイ４０の装着時には電極用トレイ４４を取り外す必要が無いため、使用者の作業負担を軽減できる。
【００５６】
図１７を用いて電極ユニット５０の取り外し動作について説明する。
【００５７】
図１７（ａ）は、電極ユニット５０を引き下ろした状態であり、電極ユニット５０の上部は蓋体５２で覆われている。蓋体５２を取り外した状態を図１７（ｂ）に示す。電極ユニット５０は、一対の係合爪５３によって保持枠５４に着脱される。電極ユニット５０にはユニット側コネクター５５ａが、保持枠５４には本体側コネクター５５ｂが設けられている。ユニット側コネクター５５ａ及び本体側コネクター５５ｂにはそれぞれ配線コードが接続されているが、配線コードについては図示を省略する。蓋体５２は、電極ユニット５０の動作時に、この配線コードが絡まないために設けている。
【００５８】
ユニット側コネクター５５ａと本体側コネクター５５ｂとを外した後に、図１７（ｃ）に示すように、一対の係合爪５３を保持枠５４から取り外して、電極ユニット５０の交換を行う。
【００５９】
新たな電極ユニット５０の装着は、図１７（ｃ）、（ｂ）、（ａ）の順で行う。
【００６０】
本実施例によれば、給水用タンク２０、フィルタ部材６０、及び排水用タンク３０をトレイ４０に着脱可能に載置し、第２の動作状態で、給水用タンク２０、フィルタ部材６０、排水用タンク３０、及びトレイ４０を取り外し、給水用タンク２０、フィルタ部材６０、排水用タンク３０、及びトレイ４０を取り外した後に、第１の動作状態として、電極ユニット５０の着脱を行えるものである。また、頻繁に行う必要がある、給水、排水、及びフィルタ部材６０やトレイ４０の掃除を容易に行えるとともに、電極ユニット５０の着脱も使用者が容易に行うことができる。
【００６１】
図１１及び図１２に示すように、筐体１０の両側面に設けた吸入口１２から筐体１０内に吸入された空気は、筐体１０の後面１８側から下方に引っ張られ、フィルタ部材６０と風路板８１の下端との隙間を通過し、風路板８１によって形成された風路８０内を上昇する。風路８０に空気流れを生じさせる送風機８２が筐体１０内の上方に配置され、送風機８２によって空気は吹出口１３から吹きだされる。
【００６２】
図１８は本実施例による空気清浄装置の制御ブロック図、図１９は同空気清浄装置のフローチャートである。
【００６３】
本実施例の空気清浄装置は、開閉扉１１の開閉状態を検知する開閉検知手段９１と、給水用タンク２０内の水の有無を検知する給水検知手段９２と、排水用タンク３０内の汚水の有無を検知する排水検知手段９３と、ポンプ７０の動作を制御する制御手段９４とを備えている。
【００６４】
制御手段９４では、ステップ１において、開閉検知手段９１が開閉扉１１の閉状態を検知しない場合には、ポンプ７０の動作を行わない。
【００６５】
ステップ１において、開閉検知手段９１が開閉扉１１の閉状態を検知すると、給水検知手段９２によって、給水用タンク２０が装着され（ステップ２）、水が有ることを検知し（ステップ３）、かつ排水検知手段９３によって、排水用タンク３０が装着され（ステップ４）、排水用タンク３０内に汚水が無い（所定量以下である）ことを検知した場合（ステップ５）にはポンプ７０を動作させる（ステップ６）。
【００６６】
制御手段９４では、開閉検知手段９１による開閉扉１１の開状態の検知（ステップ１）、給水検知手段９２による給水用タンク２０の無いことの検知（ステップ２）、水が無いことの検知（ステップ３）、排水検知手段９３による排水用タンク３０の無いことの検知（ステップ４）、又は排水用タンク３０内の汚水満水（所定量を越える）の検知（ステップ５）のいずれかが行われると、ポンプ７０停止を維持して動作させない（ステップ７）。
【００６７】
またステップ６で制御手段９４がポンプ７０を動作させた後には、開閉検知手段９１による開閉扉１１の開状態の検知（ステップ１）、給水検知手段９２による給水用タンク２０の取り外しの検知（ステップ２）、水が無いことの検知（ステップ３）、排水検知手段９３による排水用タンク３０の取り外しの検知（ステップ４）、又は排水用タンク３０内の汚水満水（所定量を越える）の検知（ステップ５）が行われると、ポンプ７０を停止させる（ステップ７）。
【００６８】
なお、本実施例では、開閉扉１１の開閉状態を検知する開閉検知手段９１を備えた場合で説明したが、開閉検知手段９１を備えていなくてもよい。
【００６９】
本実施形態におけるもっとも大きな特徴は、図１３及び図１４に示すように、トレイ４０の供給水路４２の形状である。
【００７０】
具体的には、供給水路４２は、給水用タンク２０の下方に位置する第１の供給水路４２ａと、フィルタ部材６０の下方に位置する第２の供給水路４２ｂと、第２の供給水路４２ｂの出口側につながる貯留部４２ｃと、第１の供給水路４２ａの出口側につながり第２の供給水路４２ｂの入口側につながる電極用水路４２ｄとから構成されている。電極用水路４２ｄには、電極ユニット５０が配置される。
【００７１】
第１の供給水路４２ａに、給水用タンク内の水が最初に供給される第１の上流側供給水路４２ｅと、この第１の上流側供給水路４２ｅと電極用水路４２ｄをつなげる第１の下流側供給水路４２ｆとを備え、第２の供給水路４２ｂの底面は、第２の供給水路４２ｂから電極用水路４２ｄへ向かうにしたがって下方へ傾斜した傾斜面４２ｇを備えている。
【００７２】
この第１の下流側供給水路４２ｆの底面は、第１の上流側供給水路４２ｅの底面より低く、電極用水路４２ｄの底面は、第１の下流側供給水路４２ｆの底面より低く、第２の供給水路４２ｂの底面は、第１の下流側供給水路４２ｆおよび電極用水路４２ｄの底面より高い。
【００７３】
これにより、電極用水路４２ｄで電極ユニット５０により生成した電解水は、給水用タンク２０の水が第１の供給水路４２ａから電極用水路４２ｄ、第２の供給水路４２ｂを通りフィルタ部材６０へ供給する水の流れに乗りフィルタ部材６０へ供給される。
【００７４】
特に電極用水路４２ｄ近傍では、電気分解により電極用水路４２ｄ内の電解水は温められることで、熱対流が生じているため、給水用タンク２０から出た水は、第１の上流側供給水路４２ｅを通り、第１の下流側供給水路４２ｆに一度貯まることで流れが安定化され、電極ユニット５０による電気分解による温度差から、電極下部に流れこみ、給水用タンク２０の水が電気分解された電解水は電気分解と共に温められ、熱対流により電極用水路４２ｄ上部へ運ばれ、第２の供給水路４２ｂの入口側へ運ばれることとなる。
【００７５】
このとき、電極用水路４２ｄから第２の供給水路４２ｂの間に、傾斜面４２ｇを有することで、電極下部に流れこんだ給水用タンク２０から出た冷たい水が第２の供給水路４２ｂまで流れこみにくくなるため、電極用水路４２ｄで電極により生成した電解水を、確実にフィルタ部材６０へ運搬することができる。
【００７６】
また、傾斜面４２ｇは第２の供給水路４２ｂ底面より高い壁４２ｈを持ち、クランク形状に曲がっていることで、一度、第２の供給水路４２ｂまで運搬された電解水は第２の供給水路４２ｂ底面より高い壁４２ｈと、クランク形状に阻まれ、傾斜面に沿わず、壁を乗り越えて電極用水路へ逆流することおよび、傾斜面の下流側から逆流しようとする電解水も、曲がり角にて傾斜面の側面にぶつかることで、電極用水路４２ｄに逆流することが抑制できる。
【００７７】
また、電極ユニット５０の下端は、第１の下流側供給水路４２ｆの底面と電極用水路４２ｄの底面との間に位置している。
【００７８】
このため、第１の下流側供給水路４２ｆに溜まった給水用タンク２０から出た水は、第１の下流側供給水路４２ｆの底面を沿って電極用水路４２ｄに流れるとき、電極ユニット５０の下部ではなく、電極間を通過することとなるので、電極板近傍で発生する電解水を、電極用水路４２ｄ出口に向かって流すことができることで、電解水を確実に第２の供給水路４２ｂ上方に位置するフィルタ部材６０へ運搬することができる。
【００７９】
また、電極ユニット５０への通電方法は、例えば、図２０に示すような間欠運転である。
【００８０】
これにより、通電時に生成され、第１の下流側供給水路４２ｆ上方に一部漏れ出した電解水も、通電停止時を設けることで冷やされ、給水用タンク２０から新たに給水された水と共にフィルタ部材へ運搬されるため、電解水が電極用水路４２ｄに留まり続けることを防止できる。
【産業上の利用可能性】
【００８１】
本発明は、空間に浮遊する微生物を除去する空気清浄装置であるが、浮遊微生物除去機能を有する加湿器としても適している。
【符号の説明】
【００８２】
１０    筐体
１１    開閉扉
１２    吸入口
１３    吹出口
１４    底面
１５    ボトル
１６    凹状ガイダー
１７    ポンプ駆動部
１８    後面
１９    底上げ部
２０    給水用タンク
２１    取っ手
２２    蓋
３０    排水用タンク
３１    取っ手
３２    開閉蓋
３３    接続口
４０    トレイ
４１    仕切り板
４２    供給水路
４２ａ  第１の供給水路
４２ｂ  第２の供給水路
４２ｃ  貯留部
４２ｄ  電極用水路
４２ｅ  第１の上流側供給水路
４２ｆ  第１の下流側供給水路
４２ｇ  傾斜面
４２ｈ  壁
４３    凸状レール部材
４４    電極用トレイ
５０    電極ユニット
５１    レバー
５２    蓋体
５３    係合爪
５４    保持枠
５５ａ  ユニット側コネクター
５５ｂ  本体側コネクター
６０    フィルタ部材
６１    駆動機構
７０    ポンプ
７１    ホース
８０    風路
８１    風路板
８２    送風機
９１    開閉検知手段
９２    給水検知手段
９３    排水検知手段
９４    制御手段
【図１】
2014190553.tif 000003
【図２】
2014190553.tif 000004
【図３】
2014190553.tif 000005
【図４】
2014190553.tif 000006
【図５】
2014190553.tif 000007
【図６】
2014190553.tif 000008
【図７】
2014190553.tif 000009
【図８】
2014190553.tif 000010
【図９】
2014190553.tif 000011
【図１０】
2014190553.tif 000012
【図１１】
2014190553.tif 000013
【図１２】
2014190553.tif 000014
【図１３】
2014190553.tif 000015
【図１４】
2014190553.tif 000016
【図１５】
2014190553.tif 000017
【図１６】
2014190553.tif 000018
【図１７】
2014190553.tif 000019
【図１８】
2014190553.tif 000020
【図１９】
2014190553.tif 000021
【図２０】
2014190553.tif 000022